(57)【要約】【課題】携帯電話のバックアップ操作を簡便に行うことが可能な装置を低コストで提供する。【解決手段】携帯電話５０のデータ通信用コネクタ５１に接続する携帯電話用コネクタ１２と、コンピュータ装置（パソコン）６０のデータ通信用コネクタ６１に接続するパソコン用コネクタ１３とが設けられた本体ケース１１内に、データの送受信を制御する制御回路１４と、データを記憶するメモリ１６とを配設する。携帯電話の内蔵メモリに記憶された情報を記憶手段にバックアップすることが可能であるだけでなく、携帯電話から取り外してコンピュータ装置と接続した状態で、記憶手段に記憶された情報を、さらにコンピュータ装置の記憶領域へバックアップすることも可能である。【選択図】  図２
2004289541.tif 000002
【特許請求の範囲】
【請求項１】
携帯電話のデータ通信用コネクタに接続される第１のコネクタと、
コンピュータ装置のデータ通信用コネクタに接続される第２のコネクタと、
前記第１のコネクタ及び前記第２のコネクタを介して前記携帯電話及び前記コンピュータ装置との間で送受信される情報を記憶する記憶手段とを備えることを特徴とする携帯電話用記憶装置。
【請求項２】
前記第１のコネクタは、各部を収容する本体ケースの一側に設けられ、
前記第２のコネクタは、前記本体ケースの別の一側に設けられていることを特徴とする請求項１記載の携帯電話用記憶装置。
【請求項３】
前記記憶手段は、フラッシュメモリであることを特徴とする請求項１記載の携帯電話用記憶装置。
【請求項４】
前記第２のコネクタは、ＵＳＢ規格に準拠したコネクタであることを特徴とする請求項１記載の携帯電話用記憶装置。
【請求項５】
前記記憶手段は、前記第２のコネクタを介して前記コンピュータ装置に対して接続された状態で、当該コンピュータ装置によって外部記憶装置として認識されることを特徴とする請求項１記載の携帯電話用記憶装置。
【請求項６】
前記記憶手段は、前記携帯電話又は前記コンピュータ装置から前記第１のコネクタ又は前記第２のコネクタを介して供給される電力を利用して、情報の記録及び／又は再生動作を行うことを特徴とする請求項１記載の携帯電話用記憶装置。
【発明の詳細な説明】
【０００１】
【発明の属する技術分野】
本発明は、携帯電話のデータ通信用コネクタに接続して用いられ、当該携帯電話との間で送受信する各種の情報を記憶する記憶装置に関する。
【０００２】
【従来の技術】
近年、携帯型電話機（いわゆる携帯電話）は、一般大衆に広く普及しつつあり、相手の電話機との間で音声通話を実現する架電機能だけでなく、例えば、架電相手の名前と電話番号とを記録する電話帳機能、他の携帯電話やコンピュータ装置との間で電子メールを送受信するメール機能、さらにはインターネットに無線接続して各種情報を閲覧表示するブラウザ機能などを搭載するなどして多機能化が進められている。また、カメラレンズを搭載して、静止画像や動画像の記録再生を行うことが可能な機種も普及しつつある。
【０００３】
このように、近年の携帯電話は、多機能化・高機能化が顕著であり、例えば電話帳データベース、受信したメールのメッセージ、或いは撮像した画像などを記憶するために、搭載される内蔵メモリの記憶容量が増大の一途を辿っている。
【０００４】
しかしながら、携帯電話は、小型軽量であり常に携行して用いられることが多いため、紛失や盗難などの被害に遭ったり、例えば落下による衝撃等によって損傷してしまうなどして、内蔵メモリに記憶された情報が失われてしまう虞がある。そこで、従来から、携帯電話の内蔵メモリに記憶された情報を複製保存（バックアップ）するための手法が各種提案されている。
【０００５】
このような手法としては、例えば、いわゆるパーソナルコンピュータ装置（以下、パソコンと称する。）と携帯電話とをケーブルを介して接続し、パソコン上で専用のバックアップソフトウエアを実行処理することによって、携帯電話の内蔵メモリに記憶された情報をパソコン側に転送して保存しておき、必要に応じてパソコン側に保存した情報を携帯電話の内蔵メモリに書き戻すことが行われている。
【０００６】
また、別の手法としては、特開２０００−１１５３４６号公報「バックアップ装置」に開示されているように、携帯電話のデータ通信用コネクタに直接着脱自在とされて、携帯電話の内蔵メモリに記憶された電話番号データをフラッシュメモリにバックアップすることが可能な装置を用いることも提案されている。
【０００７】
【発明が解決しようとする課題】
ところで、上述したようにパソコンと携帯電話とをケーブルで接続することによりバックアップを行う手法は、ケーブルの取り回しが煩雑になりがちであるため利便性に欠けるという問題があった。また、通常、接続用のケーブルは、パソコンで実行処理されるバックアップソフトウエアとのセットで販売されている。このため、ケーブルを紛失した場合などは、このセットを新たに購入し直す必要が生じ、ユーザの費用負担が大きい。
【０００８】
さらに、バックアップを行うに際しては、パソコン上でバックアップソフトウエアを実行処理する必要があるため、このバックアップソフトウエアを予めパソコンにインストールしておく操作が必要となる。また、バックアップを行う度にパソコンを起動する必要があり、バックアップ操作が面倒であるだけでなく、新しい機種の携帯電話が発売される度に、バックアップソフトウエアを新しいバージョンにアップデートする操作が必要となるなど、パソコンの操作に習熟していないとバックアップソフトウエアに関わる操作が煩雑で分かりにくいといった問題があった。
【０００９】
一方、上述したバックアップ装置は、電話番号データを装置内のフラッシュメモリにバックアップすることが実現されているものの、例えば、受信したメールのメッセージや、撮像した画像のデータをバックアップすることは想定されていない。
【００１０】
さらに、このバックアップ装置は、携帯電話のデータ通信用コネクタのみに対して接続可能とされているため、バックアップ可能なデータの容量が、内蔵したフラッシュメモリのメモリ容量に制限されてしまうといった問題があった。近年では、動画像を撮像する機能を有する携帯電話も登場しており、このような動画像のデータは、名前や電話番号などの羅列からなる電話番号データと比較して、サイズが非常に大きい。したがって、上述したバックアップ装置によって携帯電話に記憶された動画像データを全てバックアップしようとすると、必要となる内蔵メモリの容量が飛躍的に増大してしまい、高コストなものとなってしまう。
【００１１】
そこで、本発明は、上述した従来の実情に鑑みてなされたものであり、バックアップ操作が簡便であり、低コストで利便性が高い携帯電話用記憶装置を提供することを目的とする。
【００１２】
【課題を解決するための手段】
本発明の請求項１に係る携帯電話用記憶装置は、携帯電話のデータ通信用コネクタに接続される第１のコネクタと、コンピュータ装置のデータ通信用コネクタに接続される第２のコネクタと、前記第１のコネクタ及び前記第２のコネクタを介して前記携帯電話及び前記コンピュータ装置との間で送受信される情報を記憶する記憶手段とを備えることを特徴とするものである。
【００１３】
以上のように構成された本発明の請求項１に係る携帯電話用記憶装置は、第１のコネクタを介して携帯電話に対して着脱自在とされ、第２のコネクタを介してコンピュータ装置に対して着脱自在とされているとともに、携帯電話とコンピュータ装置との間で送受信する情報を記憶手段に記憶する構成とされている。これにより、携帯電話に接続した状態で、この携帯電話の内蔵メモリに記憶された情報を記憶手段にバックアップすることが可能であるだけでなく、携帯電話から取り外してコンピュータ装置と接続した状態で、記憶手段に記憶された情報を、さらにコンピュータ装置の記憶領域へバックアップすることも可能である。
【００１４】
本発明の請求項２に係る携帯電話用記憶装置は、請求項１記載の構成に加えて、前記第１のコネクタは、各部を収容する本体ケースの一側に設けられ、前記第２のコネクタは、前記本体ケースの別の一側に設けられていることを特徴とするものである。
【００１５】
以上のように構成された本発明の請求項２に係る携帯電話用記憶装置は、第１のコネクタ及び第２のコネクタがそれぞれ本体ケースの異なる一側に設けられていることから、携帯電話とコンピュータ装置とのそれぞれに対して接続する向きを明確化することができ、接続ミスの発生を防止することができる。
【００１６】
本発明の請求項３に係る携帯電話用記憶装置は、請求項１記載の構成に加えて、前記記憶手段は、フラッシュメモリであることを特徴とするものである。
【００１７】
以上のように構成された本発明の請求項３に係る携帯電話用記憶装置は、記憶手段がフラッシュメモリによって構成されていることにより、情報を記憶手段内に保持しておくための電力を不要とすることができる。これにより、例えば記憶保持用の電池等を本体ケース内に備える必要がなくなり、装置構成をより一層簡略化して、小型化・低コスト化を進めることができる。
【００１８】
本発明の請求項４に係る携帯電話用記憶装置は、請求項１記載の構成に加えて、前記第２のコネクタは、ＵＳＢ規格に準拠したコネクタであることを特徴とするものである。
【００１９】
以上のように構成された本発明の請求項４に係る携帯電話用記憶装置は、いわゆるパーソナルコンピュータ装置に広く搭載されているＵＳＢ規格に準拠したコネクタに対して接続することが可能であり、コンピュータ装置に対する接続の互換性を確保することができる。また、ＵＳＢ規格に準拠していることにより、安定して高速にデータを送受信することができる。
【００２０】
本発明の請求項５に係る携帯電話用記憶装置は、請求項１記載の構成に加えて、前記記憶手段は、前記第２のコネクタを介して前記コンピュータ装置に対して接続された状態で、当該コンピュータ装置によって外部記憶装置として認識されることを特徴とするものである。
【００２１】
以上のように構成された本発明の請求項５に係る携帯電話用記憶装置は、コンピュータ装置に対して接続された状態で、コンピュータ装置から外部記憶装置として認識されることから、バックアップ操作を行うに際して特別なアプリケーション・ソフトウエアやドライバ・ソフトウエアを不要とすることができる。このため、コンピュータ装置に搭載されたオペレーション・ソフトウエア上で通常のファイルコピー操作と同様な操作によりバックアップを行うことができ、操作が煩雑になることがない。また、バックアップ操作を行うに際して特別なソフトウエアが不要であることから、製品価格の低コスト化を図ることができる。
【００２２】
本発明の請求項６に係る携帯電話用記憶装置は、請求項１記載の構成に加えて、前記記憶手段は、前記携帯電話又は前記コンピュータ装置から前記第１のコネクタ又は前記第２のコネクタを介して供給される電力を利用して、情報の記録及び／又は再生動作を行うことを特徴とするものである。
【００２３】
以上のように構成された本発明の請求項６に係る携帯電話用記憶装置は、携帯電話又はコンピュータ装置に対して送受信するデータを記憶手段に記録再生するに際して、この携帯電話又はコンピュータ装置から供給される電力を利用することができる。したがって、動作に必要な電力を確保するために電池などを本体ケース内に搭載することが不要となり、装置構成を簡略化して、小型・軽量化、及び低コスト化を図ることができる。
【００２４】
【発明の実施の形態】
以下、本発明の実施の形態について、図面を参照しながら詳細に説明する。以下では、図１に示す構造とされた携帯電話用記憶装置１０について説明する。
【００２５】
携帯電話用記憶装置１０は、図１に示すように、例えば樹脂材料を成型することによって略直方体形状に形成された本体ケース１１を有しており、この本体ケース１１の一側に携帯電話のデータ通信用コネクタに接続自在とされた携帯電話用コネクタ１２が配設され、この携帯電話用コネクタ１２が配設された一側とは反対側に位置する本体ケース１１の別の一側に、いわゆるパーソナルコンピュータ装置（以下、パソコンと称する。）に設けられたデータ通信用のコネクタに接続自在とされたパソコン用コネクタ１３が配設されている。
【００２６】
なお、本例において、パソコン用コネクタ１３は、ＵＳＢ（Ｕｎｉｖｅｒｓａｌ  Ｓｅｒｉａｌ  Ｂｕｓ）規格に準拠したコネクタである。携帯電話用記憶装置１０は、パソコン用コネクタ１３がこのような構成とされていることにより、パソコンに広く搭載されているＵＳＢ規格に準拠したコネクタに対して接続することが可能となり、コンピュータ装置に対する接続の互換性を確保することができる。また、ＵＳＢ規格に準拠していることにより、安定して高速にデータを送受信することができる。また、このようなコネクタは、他の各種コネクタに対して比較的小型で簡便な構造であるだけでなく、データの送受信に必要となるインターフェースも低価格で提供されているため、携帯電話用記憶装置１０の小型化や低コスト化に寄与することができる。
【００２７】
ただし、パソコン用コネクタ１３は、ＵＳＢ規格に準拠したものとすることに限定されるものではなく、例えば、ＩＥＥＥ１３９４規格に準拠したコネクタであってもよいし、いわゆるミニＤＩＮタイプのコネクタであってもよい。また、パソコンに対して接続してデータの送受信を行うことができれば、他の特殊な形状とされたコネクタであってもよい。
【００２８】
また、携帯電話用記憶装置１０は、図２に示すように、携帯電話用コネクタ１２及びパソコン用コネクタ１３に接続され、これら携帯電話用コネクタ１２及びパソコン用コネクタ１３を介して送受信するデータを制御する制御回路１４と、制御回路１４の動作クロックを規定する所定の周波数のクロック信号を生成する発振器１５と、制御回路１４に接続され、この制御回路１４によって送受信されたデータを記憶するメモリ１６とを本体ケース１１の内部に備えている。
【００２９】
制御回路１４は、例えば半導体チップによって構成されており、携帯電話用コネクタ１２を介して携帯電話との間で行うデータの送受信、及びパソコン用コネクタ１３を介してパソコンとの間で行うデータの送受信を実現するインターフェースとしての機能を有している。また、制御回路１４は、発振器１５によって生成されたクロック信号が供給されており、このクロック信号によって示される動作クロックに基づいて制御処理を行う。
【００３０】
メモリ１６は、例えば書き換え可能な半導体記憶素子によって構成され、制御回路１４に対してデータバス又はアドレスバスを介して接続されており、制御回路１４によって送受信されたデータを記憶する機能を有している。メモリ１６としては、各種のＲＡＭ（Ｒａｎｄｏｍ  Ａｃｃｅｓｓ  Ｍｅｍｏｒｙ）を用いることができるが、例えばいわゆるフラッシュメモリのように、記憶したデータの保持に電力を消費しない不揮発性ＲＡＭを用いることが望ましい。これにより、携帯電話用記憶装置１０は、データ保持用電源としての電池などを搭載することが必要でなくなり、装置全体を小型軽量化できるだけでなく、装置構成を簡略化して低コスト化を図ることができる。
【００３１】
また、制御回路１４、発振器１５、及びメモリ１６は、後述のように携帯電話又はパソコンに対して接続された状態で、携帯電話用コネクタ１２又はパソコン用コネクタ１３を介してこれら携帯電話又はパソコンから供給される電力を利用して動作し、データの送受信処理やメモリ１６に対するデータの記録再生処理を行うよう構成されている。なお、図２においては、電力が供給される電力線を符号Ｖｃｃで示し、アース線を符号ＧＮＤで示す。
【００３２】
携帯電話用記憶装置１０は、携帯電話又はパソコンから供給される電力を利用してデータの送受信処理や記録再生処理を行う構成とされていることから、内部に電源としての電池等を搭載することが不要である。これにより、装置全体を小型軽量化できるだけでなく、装置構成を簡略化して低コスト化を図ることができる。ただし、例えば、電力の供給が行われないコネクタを用いて携帯電話又はパソコンに対して接続する構成とする場合には、各部の電源としての電池を本体ケース１１内に備えるとすればよい。
【００３３】
以上のように構成された携帯電話用記憶装置１０は、図３に示すように、携帯電話用コネクタ１２を携帯電話５０のデータ通信用コネクタ５１に接続した状態で、携帯電話５０から供給された電力を利用して制御回路１４、発振器１５、及びメモリ１６が動作し、携帯電話５０内に搭載されたメモリに記憶されたデータをメモリ１６に転送して記憶する。
【００３４】
このとき転送するデータとしては、電話番号に関する電話番号データ、携帯電話５０によって受信したメールのメッセージに関するメールデータ、携帯電話５０で取得又は撮像した静止画像や動画像に関する画像データ、或いは、いわゆる着信メロディ（着メロ）等に関する音楽・音声データなどである。
【００３５】
そして、所望とするデータの転送が完了した時点で、このデータのバックアップ（複製保存）が完了する。また、メモリ１６に記憶されたデータは、携帯電話用記憶装置１０を携帯電話５０から取り外した状態でも保持される。
【００３６】
なお、携帯電話用記憶装置１０のメモリ１６にバックアップされたデータを携帯電話５０に対して書き戻す（復元する）際には、再び携帯電話用コネクタ１２と携帯電話５０のデータ通信用コネクタ５１とを接続して、メモリ１６から携帯電話５０の内蔵メモリに対してデータを転送する処理が行われる。
【００３７】
一方、携帯電話用記憶装置１０は、図３に示すように、パソコン用コネクタ１３をパソコン６０のデータ通信用コネクタ６１に接続した状態で、メモリ１６に記憶されたデータをパソコン６０に搭載された記憶装置に対して送受信することも可能とされている。
【００３８】
したがって、上述したようにして携帯電話５０からデータをメモリ１６にバックアップした後に、この携帯電話用記憶装置１０をパソコン６０に接続することによって、メモリ１６内に記憶されたデータをさらにパソコン６０にバックアップすることができる。また、この操作と逆の手順を行うことにより、例えばパソコン６０に記憶されたデータを一度携帯電話用記憶装置１０のメモリ１６に転送し、さらにメモリ１６に転送されたデータを携帯電話５０に転送することも可能である。
【００３９】
以上で説明したように、携帯電話用記憶装置１０は、携帯電話用コネクタ１２を携帯電話５０のデータ通信用コネクタ５１に接続するといった簡便な操作で、この携帯電話５０の内蔵メモリに記憶された各種データをメモリ１６にバックアップすることが可能とされている。また、携帯電話５０が紛失や盗難されたり、或いは落下による損傷や故障した場合であっても、メモリ１６に記憶されたデータを携帯電話に対して書き戻すことができ、ユーザのデータを元の状態に復元することができる。
【００４０】
また、携帯電話用記憶装置１０は、パソコン用コネクタ１３をパソコン６０のデータ通信用コネクタ６１に接続することによって、メモリ１６とパソコン６０側の記憶装置との間でデータを送受信することが可能とされていることから、例えば、複数の携帯電話内に記憶されたデータをそれぞれパソコン６０側へ転送したり、大容量のデータを幾度かのバックアップ操作に分けてパソコン６０側へ転送するなどの柔軟な利用を行うことが可能である。
【００４１】
なお、携帯電話用記憶装置１０においては、携帯電話用コネクタ１２及びパソコン用コネクタ１３を配設する位置を任意とすることができるが、図１及び図３に示すように、携帯電話用コネクタ１２を本体ケース１１の一側に設け、パソコン用コネクタ１３を本体ケース１１の別の一側に設けることが望ましい。これにより、携帯電話５０とコンピュータ装置６０とのそれぞれに対して接続する向きを明確化することができ、接続ミスの発生を防止することができる。
【００４２】
また、携帯電話用記憶装置１０は、パソコン６０に対して接続された状態で、メモリ１６がパソコン６０の外部記憶装置として認識されるよう構成しておくことが望ましい。これにより、バックアップ操作を行うに際して特別なアプリケーション・ソフトウエアやドライバ・ソフトウエアをパソコン６０側に用意する不要とすることができる。このため、コンピュータ装置に搭載されたオペレーション・ソフトウエア上で通常のファイルコピー操作と同様な操作によりバックアップを行うことができ、操作が煩雑になることがない。また、バックアップ操作を行うに際して特別なソフトウエアが不要であることから、製品価格の低コスト化を図ることができる。
【００４３】
【発明の効果】
本発明に係る携帯電話用記憶装置は、携帯電話に接続した状態で、この携帯電話の内蔵メモリに記憶された情報を記憶手段にバックアップすることが可能であるだけでなく、携帯電話から取り外してコンピュータ装置と接続した状態で、記憶手段に記憶された情報を、さらにコンピュータ装置の記憶領域へバックアップすることも可能である。
【図面の簡単な説明】
【図１】本発明の実施の形態として示す携帯電話用記憶装置の概略斜視図である。
【図２】同携帯電話用記憶装置の内部に備えられる回路の一例を示す概略図である。
【図３】同携帯電話用記憶装置を携帯電話又はコンピュータ装置（パソコン）に接続する場合の一例を示す概略図である。
【符号の説明】
１０    携帯電話用記憶装置
１１    本体ケース
１２    携帯電話用コネクタ
１３    パソコン用コネクタ
１４    制御回路
１５    発振器
１６    メモリ
【図１】
2004289541.tif 000003
【図２】
2004289541.tif 000004
【図３】
2004289541.tif 000005